(57)【要約】本発明の実施形態は複数の部材によるブレスレットを提供する。パームブレスレットは連結チェーンで連結される３つの部材を含む。ある実施形態では、３つの部材のうち１つが親指と人差し指の間の空間内に静止されるように構成される。ある実施形態では、連結チェーンの１つが親指と人差し指の間の空間内に静止されるように構成される。【選択図】図１
2018505011.tif 000002
【特許請求の範囲】
【請求項１】
３つのセクションを有し、各セクションが近位端および遠位端を備え、各セクションの近位端が他の２つのセクションの近位端に取り付けられた第１の連結チェーンと、
第１の端部および第２の端部を有する第１の部材であって、前記第１の部材の第１の端部が前記第１の連結チェーンの第１のセクションの前記遠位端に取り付けられた、第１の部材と、
第１の端部および第２の端部を有する第２の部材であって、前記第２の部材の第１の端部が前記第１の連結チェーンの第２のセクションの前記遠位端に取り付けられた、第２の部材と、
第１の端部および第２の端部を有する第３の部材であって、前記第３の部材の第１の端部が前記第１の連結チェーンの第３のセクションの前記遠位端に取り付けられた、第３の部材と、
第１の端部および第２の端部を有する第２の連結チェーンであって、前記第２の連結チェーンの第１の端部が前記第１の部材の第２の端部に取り付けられ、前記第２の連結チェーンの第２の端部が前記第２の部材の第２の端部に取り付けられた、第２の連結チェーンと、
第１の端部および第２の端部を有する第３の連結チェーンであって、前記第３の連結チェーンの第１の端部が前記第１の部材の第２の端部に取り付けられ、前記第３の連結チェーンの第２の端部は前記第３の部材の前記第２の端部に取り付けられた第３の連結チェーンと、を備えることを特徴とするブレスレット。
【請求項２】
前記第１の部材、第２の部材および第３の部材は、ジュエリーに適した金、銀、プラチナ、アルミニウム、鉄、めっき金属または合金を含むことを特徴とする請求項１に記載のブレスレット。
【請求項３】
前記第１の連結チェーン、前記第２の連結チェーンおよび前記第３の連結チェーンは、１つ以上のリンクチェーン、ローブチェーン、メッシュチェーンまたは金属線を含むことを特徴とする請求項１に記載のブレスレット。
【請求項４】
クラスプをさらに含むことを特徴とする請求項１に記載のブレスレット。
【請求項５】
前記クラスプが前記第１の部材の第２の端部に配置され、結合部材が前記第２の連結チェーンの第１の端部に配置され、結合部材が前記第３の連結チェーンの第１の端部に配置され、前記結合部材は前記クラスプと係合するように構成されることを特徴とする請求項４に記載のブレスレット。
【請求項６】
前記クラスプはばねクラスプであり、且つ、前記結合部材はアイフックであることを特徴とする請求項５に記載のブレスレット。
【請求項７】
前記クラスプは磁石式クラスプであり、前記結合部材が前記クラスプと係合するように構成されることを特徴とする請求項５に記載のブレスレット。
【請求項８】
前記第２の部材は、使用者の手の親指および人差し指の間に静止されるように構成されることを特徴とする請求項１に記載のブレスレット。
【請求項９】
近位端および遠位端を有する第１の部材と、
近位端および遠位端を有する第２の部材と、
近位端および遠位端を有する第３の部材と、
第１の端部および第２の端部を有する第１の連結チェーンであって、前記第１の連結チェーンの第１の端部が前記第１の部材の前記遠位端に取り付けられ、クラスプが前記第１の連結チェーンの前記第２端部に配置される、第１の連結チェーンと、
第１の端部および第２の端部を有する第２の連結チェーンであって、前記第２の連結チェーンの第１の端部が前記第２の部材の遠位端に取り付けられ、結合部材が前記第２の連結チェーンの前記第２の端部に配置される、第２の連結チェーンと、
第１の端部および第２の端部を有する第３の連結チェーンであって、前記第３の連結チェーンの第１の端部が前記第３の部材の遠位端に取り付けられ、結合部材が前記第３の連結チェーンの第２の端部に配置される、第３の連結チェーンと、を備え、
前記第１の部材の近位端は、前記第２の部材および前記第３の部材の近位端に取り付けられていることを特徴とするブレスレット。
【請求項１０】
前記第１の部材、第２の部材および第３の部材は、ジュエリーに適した金、銀、プラチナ、アルミニウム、鉄、めっき金属または合金を含むことを特徴とする請求項９に記載のブレスレット。
【請求項１１】
前記第１の連結チェーン、前記第２の連結チェーンおよび前記第３の連結チェーンは、１つ以上のリンクチェーン、ローブチェーン、メッシュチェーンまたは金属線を含むことを特徴とする請求項９に記載のブレスレット。
【請求項１２】
前記クラスプはばねクラスプであり、且つ、前記結合部材はアイフックであることを特徴とする請求項９に記載のブレスレット。
【請求項１３】
前記クラスプは磁石式クラスプであり、前記結合部材は前記クラスプと係合するように構成されることを特徴とする請求項９に記載のブレスレット。
【請求項１４】
前記第２の連結チェーンは使用者の手の親指および人差し指の間に静止されるように構成されることを特徴とする請求項９に記載のブレスレット。
【請求項１５】
３つの連結点を有する部材と、
第１の端部および第２の端部を有し、前記第１の端部が前記部材の第１の連結点に取り付けられた第１の連結チェーンと、
第１の端部および第２の端部を有し、前記第１の端部が前記部材の第２の連結点に取り付けられた第２の連結チェーンと、
第１の端部および第２の端部を有し、前記第１の端部が前記部材の第３の連結点に取り付けられた第３の連結チェーンと、を備え、
前記第１の連結チェーンが前記第２の連結チェーンおよび前記第３の連結チェーンの反対方向に延伸するように、前記部材の前記第１の連結点が方向付けられていることを特徴とするブレスレット。
【請求項１６】
前記部材は、三角形、長方形、円形、多角形または抽象的形状のうちの１つの形状であることを特徴とする請求項１５に記載のブレスレット。
【請求項１７】
前記部材は、ジュエリーに適した金、銀、プラチナ、アルミニウム、鉄、めっき金属または合金を含むことを特徴とする請求項１５に記載のブレスレット。
【請求項１８】
前記第１の連結チェーン、前記第２の連結チェーンおよび前記第３の連結チェーンは、１つ以上のリンクチェーン、ローブチェーン、メッシュチェーンまたは金属線を含むことを特徴とする請求項１５に記載のブレスレット。
【請求項１９】
クラスプをさらに含むことを特徴とする請求項１５に記載のブレスレット。
【請求項２０】
前記クラスプが前記第１の部材の第２の端部に配置され、結合部材が前記第２の連結チェーンの第１の端部に配置され、結合部材が前記第３の連結チェーンの第１の端部に配置され、前記結合部材が前記クラスプと嵌合するように構成されることを特徴とする請求項１９に記載のブレスレット。
【請求項２１】
前記クラスプはばねクラスプであり、且つ、前記結合部材はアイフックであることを特徴とする請求項２０に記載のブレスレット。
【請求項２２】
前記クラスプは磁石式クラスプであり、前記結合部材は前記クラスプと係合するように構成されることを特徴とする請求項２０に記載のブレスレット。
【請求項２３】
前記第２の部材は、使用者の手の親指および人差し指の間に静止されるように構成されることを特徴とする請求項１５に記載のブレスレット。
【発明の詳細な説明】
【技術分野】
【０００１】
本発明は、全般にブレスレットに関し、より具体的には、いくつかの実施形態は手首および親指に巻きつけるようにデザインされたパームブレスレットに関する。
【背景技術】
【０００２】
ジュエリーデザインの分野において、ブレスレットは装飾性および他の目的のために、手首（または足首）の周囲に装着するように意図された材料のループ状（輪状）のものである。ブレスレットは、金、銀、プラチナ、および他の金属、皮または布、ルーサイトまたはレキサン、あるいは様々な異なる材料の単体または組み合わせを含む多様な材料で出来ていてもよい。ある事例では、ブレスレットは閉じたループ状のもの、またはブレスレットを手首に滑らせて装着できるような開口部を有するアーチ状のものでもよい。通常、ブレスレットは、使用者の衣服に取り付けることなく、手首に静止（保持）されるように意図されている。
【０００３】
一般に、ブレスレットは使用者の手首周囲を固く保持するものではなく、自由な動きを阻害したり、手首に好ましくない跡を残したりすることを避けるために、ある程度の緩みを持っている。ブレスレットはＳ、Ｍ、Ｌなどの様々な範囲にサイズがつけられる傾向にある。時にブレスレットは、材料の重量および他の装飾品により、使用者の手首の、意図しているよりもさらに下に下がってしまうことがある。ブレスレットを意図したとおりに手首に配置するために、定常的な再調整が必要となる。ブレスレットが手首の高すぎる位置に静止され、ブレスレットが見た目に目立たなくなるという反対の問題も起こる。
【０００４】
ある従来の解決策では、使用者の手に装着された、例えば指輪のような別のジュエリーにブレスレットを取り付けている。しかし、この解決策は、使用者の指輪のサイズの追加的な計測を必要とし、従来ブレスレットに関して行われるよりも、さらに正確なサイズ計測を要する。指輪への取付けは、使用者の指の動きを考慮して、ブレスレットを指輪に連結するチェーンに余分な緩みを持たせる必要がある。この連結チェーンは衣服または他の物体に引っかかり、装着者に不快感を持たせる原因となりうる。さらに、ブレスレットを他のジュエリーに取り付ける必要性により、より好ましいジュエリーを手に装着する使用者の能力を排除してしまう。
【発明の概要】
【発明が解決しようとする課題】
【０００５】
本発明の様々な実施形態では、使用者の手首周囲に巻き付き、手の親指および人差し指の間に静止される部分を有するパームブレスレットが提供される。本パームブレスレットの実施形態は、使用者の手首周囲から下がり落ちることなく、または、手首周囲にきつく合わされることなく、従来のブレスレットよりもさらに着実に手首に配置される。また、パームブレスレットは、ブレスレットの位置を手首上に保持するために、他のジュエリーまたは衣服にブレスレットを取り付ける必要性を回避するよう、適切な寸法の部材で構成することができる。
【課題を解決するための手段】
【０００６】
本発明の実施形態によると、ブレスレットは第１の連結チェーン、第１の部材、第２の部材、第３の部材、第２の連結チェーン、および第３の連結チェーンを備える。第１の連結チェーンは３つのセクションを有し、各プロング（ｐｒｏｎｇ）は近位端および遠位端を備え、各セクションの近位端は他の２つのセクションの近位端に取り付けられる。第１の部材は、第１の端部および第２の端部を有し、第１の部材の第１の端部は第１の連結チェーンの第１のセクションの遠位端に取り付けられる。第２の部材は、第１の端部および第２の端部を有し、第２の部材の第１の端部は第１の連結チェーンの第２のセクションの遠位端に取り付けられる。第３の部材は、第１の端部および第２の端部を有し、第３の部材の第１の端部は第１の連結チェーンの第３のセクションの遠位端に取り付けられる。第２の連結チェーンは第１の端部および第２の端部を有し、第２の連結チェーンの第１の端部は第１の部材の第２の端部に取り付けられ、第２の連結チェーンの第２の端部は、第２の部材の第２の端部に取り付けられる。第３の連結チェーンは第１の端部および第２の端部を有し、第３の連結チェーンの端部は第１の部材の第２の端部に取り付けられ、第３の連結チェーンの第２の端部は第３の部材の第２の端部に取り付けられる。
【０００７】
本発明の実施形態によると、ブレスレットは第１の部材、第２の部材、第３の部材、第１の連結チェーン、第２の連結チェーン、および第３の連結チェーンを備える。第１の部材は近位端および遠位端を有し、第２の部材は近位端および遠位端を有し、第３の部材は近位端および遠位端を有する。第１の連結チェーンは第１の端部および第２の端部を有し、第１の連結チェーンの第１の端部は第１の部材の遠位端に取り付けられ、クラスプが第１の連結チェーンの第２の端部上に配置される。第２の連結チェーンは第１の端部および第２の端部を有し、第２の連結チェーンの第１の端部は第２の部材の遠位端に取り付けられ、接合部材（ｊｏｉｎｉｎｇ  ｍｅｍｂｅｒ）が第２の連結チェーンの第２の端部上に配置される。第３の連結チェーンは第１の端部および第２の端部を有し、第３の連結チェーンの第１の端部は第３の部材の遠位端に取り付けられ、接合部材が第３の連結チェーンの第２の端部上に配置され、第１の部材の近位端は、第２の部材および第３の部材の近位端に取り付けられる。
【０００８】
開示される技術の他の特徴および態様は、以下の詳細な説明により、開示された技術の実施形態に従った特徴を一例として図示した付随する図面とともに、明らかになるであろう。概要はここで説明される発明の範囲を限定することを意図しておらず、ここに添付される請求項によってのみ画定される。
【図面の簡単な説明】
【０００９】
１つ以上の様々な実施形態に従った、ここに開示される技術は、以下の図面を参照して詳細に説明される。図面は例示の目的のために提供され、開示される技術の典型的な、または例示の実施形態を描写しているに過ぎない。これらの図面は読者の本技術に対する理解を促進させるためのものであり、本技術の広がり、範囲、または適用性を限定するものとみなされるべきではない。例示をより明確かつ容易にするために、以下の図面は必ずしも実寸で描かれていないことに留意すべきである。
【図１】図１は本発明に従ったパームブレスレットの実施例の実施形態である。
【図２】図２は図１の実施例の実施形態の平面図である。
【図３】図３は図１の実施例の実施形態の底面図である。
【図４】図４は本発明に従ったパームブレスレットの別の実施例の実施形態である。
【図５】図５は本発明に従ったパームブレスレットの別の実施例の実施形態である。
【００１０】
図面は包括的な内容を意味しておらず、または、図面は開示される詳細な形式に本発明を限定することを意図していない。本発明は修正および改変を行って実施されることが可能であること、および、開示される技術は請求項および類似のものによってのみ限定されることが理解されるべきである。
【発明を実施するための形態】
【００１１】
ここで開示される技術の実施形態は、ブレスレットに関する。より具体的には、ここに開示される様々な実施形態は、手首周囲にきつくフィットさせたり、あるいは、指輪または他のジュエリーへの取付けを必要とすることなく、ブレスレットを使用者の手首に安定（恒常）的に位置決め（ポジショニング）することを提供するパームブレスレットに関する。
【００１２】
図１は、本発明のパームブレスレット１００の例示的な実施形態を図示している。図１に示されるように、パームブレスレットは３つの部材１０２、１０４および１０６を含んでいる。様々な実施形態において、部材１０２、１０４および１０６は、使用者の手首および親指と人差し指の間の空間に合うように形成される。ある実施形態は、使用者の手首のサイズおよび親指と人差し指の間の空間に合うように実施されてもよいが、別の実施形態では、部材１０２、１０４および１０６はより一般的なサイズに形成され、使用者の身体構造上の寸法の計測を必要としない。部材は、ブレスレットのサイズとして従来使用されているＳ、Ｍ、Ｌサイズと同様に、手首の範囲でフィットする一般的なサイズであってもよい。ある実施形態では、部材１０２、１０４および１０６は、必要に応じて個別の使用者に合わせて形成されてもよい。
【００１３】
ある実施形態では、部材１０２、１０４および１０６は円形または楕円の弧であってもよい。ある実施形態では、部材１０２、１０４および１０６は多角形で形成されてもよく、使用者の手に合うような立方体を形成するために、複数のセクションが互いに取り付けられる。様々な実施形態において、部材１０２、１０４および１０６は異なる外形および様式の組合せであってもよい。部材１０２、１０４および１０６が立体形として示されているが、別の実施形態はセクションを相互連結する可撓性のリンクで分割された部材を含んでもよい。
【００１４】
部材は様々な材料で出来ていてもよい。ある実施形態では、部材１０２、１０４および１０６は金、銀、プラチナ、アルミニウム、鉄、めっき金属または合金などのジュエリーに適切な任意の材料で形成されてもよい。別実施形態では、部材１０２、１０４および１０６は、いくつかの例を挙げると、皮、プラスチック、ルーサイト、レキサン、獣の角、および石などの非金属材料で形成されてもよい。ある実施形態では、部材１０２、１０４および１０６は材料を組み合わせて形成されてもよい。宝石、宝石用原石および金属などの装飾品が部材に配置されてもよい。
【００１５】
連結チェーン１１２、１１４および１１６は３つの部材１０２、１０４および１０６に連結する。様々な実施形態において、連結チェーン１１２は３つのセクション１１２ａ、１１２ｂおよび１１２ｃを有する。３つのセクション１１２ａ、１１２ｂおよび１１２ｃは共に中心点１２０に連結される。各セクション１１２ａ、１１２ｂおよび１１２ｃの各自由端は、各部材１０２、１０４および１０６の第１の端部にそれぞれ連結される。
【００１６】
連結チェーン１１４および１１６は、各部材１０２、１０４および１０６の両端部に連結される。連結チェーン１１４は部材１０４を部材１０２に連結し、連結チェーン１１６は部材１０６を部材１０２に連結する。ある実施形態では、連結チェーン１１４、連結チェーン１１６、またはその両方が、クラスプ機構を含んでもよく、それにより連結チェーン１１４および１１６を部材１０２に対して脱着可能とする。別の実施形態では、連結チェーン１１４および１１６は部材１０２に恒久的に取り付けられる。
【００１７】
連結チェーン１１２、１１４および１１６は様々な材料で形成されてもよい。様々な実施形態において、連結チェーン１１２、１１４および１１６は、金、銀、プラチナ、アルミニウム、鉄、めっき金属または合金などのジュエリーに適切な任意の材料で形成されてもよい。別実施形態では、連結チェーン１１２、１１４および１１６は、いくつかの例を挙げると、皮、プラスチック、ルーサイト、レキサン、獣の角、および石などの非金属材料で形成されてもよい。様々な実施形態において、連結チェーン１１２、１１４および１１６は、例えば、１つ以上のボールチェーン、メッシュチェーン、ローブチェーン、糸で装飾されたチェーン、バーチェーン、リンクチェーンまたはそれらの組合せで構成されてもよい。様々な実施形態において、連結チェーン１１２、１１４および１１６は、ブレスレットを身に着ける目的のために、ブレスレットが伸縮できるように弾性を有していてもよい。
【００１８】
図１の例示の実施形態では、部材１０２、１０４および１０６は、手首の側部、および、手の親指と人差し指の間の空間に静止される。この実施形態では、部材１０２、１０４および１０６は、ブレスレットを定位置に保持するためのサポートを提供する。別の実施形態では、連結チェーン１１２、１１４および１１６は、図４および５の実施形態で図示されているように、位置決めのサポートを提供するよう構成されてもよく、以下で詳述される。
【００１９】
図２および図３は、図１の実施形態の別の図を示している。図２は本実施形態の平面図を示している。平面図により、実際に使用者の手にブレスレットが嵌められているかのように、ブレスレットを上方から見ることができる。図３は図１の例の実施形態の底面図である。
【００２０】
図４は、本発明の別例の実施形態を示している。図４において、部材４０２、４０４および４０６が中心点４２０で共に連結されている。ある実施形態では、部材４０２、４０４および４０６は、図１に示されている連結チェーン１１２の小型版により連結されてもよい。別実施形態では、部材４０２、４０４および４０６は、それぞれ、近位端に配置された接合部材を有し、そこには、各部材４０２、４０４および４０６の近位端に配置された接合部材を連結する取付部材が付されている。ある実施形態では、部材４０２、４０４および４０６は三方接合（ｔｈｒｅｅ−ｗａｙ  ｊｏｉｎｔ）によって連結されてもよい。ある実施形態では、三方接合は、手の動きを考慮して、部材４０２、４０４および４０６をわずかに屈曲させるように設計されてもよい。
【００２１】
ある実施形態では、部材４０２、４０４および４０６は、金、銀、プラチナ、アルミニウム、鉄、合金などのジュエリーに適した任意の材料で形成されてもよい。別の実施形態では、部材４０２、４０４および４０６は、皮、プラスチック、または石などの非金属材料で形成されてもよい。ある実施形態では、部材４０２、４０４および４０６は、複数材料の組合せで形成されてもよい。宝石、宝石用原石および金属などの装飾品が部材に配置されてもよい。
【００２２】
ある実施形態では、連結チェーン４１２、４１４および４１６は、部材４０２、４０４および４０６の遠位端にそれぞれ配置されてもよい。様々な実施形態において、連結チェーン４１２は、部材４０２の反対側にある端部に配置されたクラスプ機構４３２を含み、連結チェーン４１４および４１６は、部材４０４および４０６の反対側の端部にそれぞれ配置された接合部材を含む。接合部材は、クラスプ機構４３２と係合するように構成されてもよい。ある実施形態では、クラスプ機構４３２はばねクラスプであってもよい。また、接合部材はアイフックまたはチェーンリンクであってもよい。ある実施形態では、クラスプ機構４３２は磁石式クラスプであってもよく、接合部材は、磁石式クラスプに係合するように構成された連結チェーン４１４および４１６の端部上のリンクであってもよいし、または金属形成されてもよい。様々な実施形態において、接合部材は、より強固な連結を実現するための追加的な係合地点を提供するように、本分野で周知のクラスプ機構４３２の後部に配置された突起に係合するように構成されたラッチを含んでもよい。
【００２３】
ある実施形態では、連結チェーン４１４および４１６は、部材４０４および４０６の反対側にある４１４および４１６の端部にそれぞれ取り付けられた接合部材４３４を備えたシングルチェーンであってもよい。接合部材４３４は、２つに分離したチェーンである連結チェーン４１４および４１６に関して先に説明された接合部材と同様に構成されてもよい。別の実施形態では、接合部材４３４がクラスプ４３２に係合するように構成されてもよい。
【００２４】
連結チェーン４１２、４１４および４１６は様々な材料で形成されてもよい。様々な実施形態において、連結チェーン４１２、４１４および４１６は、金、銀、プラチナ、アルミニウム、鉄、めっき金属または合金などの、ジュエリーに適した任意の材料で形成されてもよい。別実施形態では、連結チェーン４１２、４１４および４１６は、いくつかの例を挙げると、皮、プラスチック、ルーサイト、レキサン、獣の角、および石などの非金属材料で形成されてもよい。ある実施形態では、連結チェーン４１２、４１４および４１６は、材料を組み合わせて形成されてもよい。様々な実施形態において、連結チェーン４１２、４１４および４１６は、例えば、１つ以上のボールチェーン、メッシュチェーン、ローブチェーン、糸で装飾されたチェーン、バーチェーン、リンクチェーンまたはそれらの組合せで構成されてもよい。様々な実施形態において、連結チェーン４１２、４１４および４１６は、ブレスレットを身に着ける目的のために、ブレスレットが伸縮できるように弾性を有していてもよい。
【００２５】
本発明に従ったパームブレスレットの別の実施形態が図５に示されている。ある実施形態では、図１から４に図示される複数個の部材の代わりに単体の部材５０２が使用されてもよい。部材５０２は様々な形状であってよい。図５に示されているように、部材５０２は三角形であってもよい。別の実施形態では、部材５０２は長方形、円形または多角形であってもよい。ある実施形態では、部材５０２は抽象的な形状や、動物の形状、文字または単語、車などの物体、星、人またはキャラクターの顔を含む非限定的事例であってもよい。ある実施形態では、部材５０２は、単体、またはいくつかの頂点を含む、いくつかの異なるセクションの組み合わせであってもよい。部材５０２は、図１から４に関して先に説明された材料で形成されてもよい。
【００２６】
連結チェーン５１２、５１４および５１６の近位端は、部材５０２の連結点５２２、５２４および５２６で部材５０２に連結される。連結点５２２は、連結チェーン５１４および５１６の反対方向に連結チェーン５１２が使用者の手首周囲に巻かれるように、部材５０２に配置される。ある実施形態では、連結点５２２、５２４および５２６が部材５０２の端部に配置されてもよい。別の実施形態では、連結点５２２、５２４および５２６が部材５０２上の穴であってもよい。穴は、連結チェーンのリンク部が部材５０２に取り付けられる構造であってよく、連結チェーンがそこを通過してループ状になるような構造であってもよい。
【００２７】
ある実施形態では、部材５０２は、金、銀、プラチナ、アルミニウム、鉄、めっき金属または合金などのジュエリーに適した任意の材料で形成されてもよい。別実施形態では、部材５０２は、皮、プラスチックおよび石などの非金属材料で形成されてもよい。ある実施形態では、宝石、宝石用原石および金属などの装飾品が部材５０２に配置されてもよい。
【００２８】
様々な実施形態において、連結チェーン５１２は、部材５０２の反対側の端部に配置されたクラスプ機構５３２を含み、連結チェーン５１４および５１６は部材５０２の反対側に配置された接合部材を含む。連結チェーン５１４および５１６の端部の接合部材は、クラスプ機構５３２と係合するように構成されてもよい。ある実施形態では、クラスプ機構５３２はばねクラスプであってもよい。また、接合部材はアイフックまたはチェーンリンクであってもよい。ある実施形態では、クラスプ機構５３２は磁石式クラスプであってもよく、接合部材は、磁石式クラスプに係合するように構成された連結チェーン５１４および５１６の端部上のリンクであってもよいし、または金属形成されていてもよい。様々な実施形態において、接合部材は、より強固な連結を実現するための追加的な係合地点を提供するように、本分野で周知のクラスプ機構５３２の後部に配置された突起に係合するように構成されたラッチを含んでもよい。
【００２９】
ある実施形態では、連結チェーン５１４および５１６は、部材５０２の反対側の５１４および５１６の端部に取り付けられた接合部材５３４を備えたシングルチェーンであってもよい。接合部材５３４は、２つに分離したチェーンである連結チェーン５１４および５１６に関して先に説明された接合部材と同様に構成されてもよい。別の実施形態では、接合部材５３４がクラスプ５３２と係合するように構成されてもよい。
【００３０】
連結チェーン５１２、５１４および５１６は、様々な材料で形成されてもよい。様々な実施形態において、連結チェーン５１２、５１４および５１６は、金、銀、プラチナ、アルミニウム、鉄、めっき金属または合金などのジュエリーに適した任意の材料で形成されてもよい。別の実施形態では、連結チェーン５１２、５１４および５１６は、いくつかの例を挙げると、皮、プラスチック、ルーサイト、レキサン、獣の角、および石などの非金属材料で形成されてもよい。ある実施形態では、連結チェーン５１２、５１４および５１６は、材料を組み合わせて形成されてもよい。様々な実施形態において、連結チェーン５１２、５１４および５１６は、例えば、１つ以上のボールチェーン、メッシュチェーン、ローブチェーン、糸で装飾されたチェーン、バーチェーン、リンクチェーンまたはそれらの組合せで構成されてもよい。様々な実施形態において、連結チェーン５１２、５１４および５１６は、ブレスレットを身に着ける目的のために、ブレスレットが伸縮できるように弾性を有していてもよい。
【００３１】
開示されている技術は、様々な例示の実施形態および実装の観点から説明されているものの、かかる実施形態が説明されているか否か、および、かかる特徴が説明されている実施形態の一部として表現されているか否かに関わらず、１つ以上の個別の実施形態において説明されている様々な特徴、態様および機能は、ここに説明される特定の実施形態の適用性に限定されるものではなく、開示されている技術の１つ以上の別の実施形態に、それ単体または様々な組み合わせにより適用可能であることは理解されるべきである。従って、ここに開示されている技術の幅および範囲は上記の例示の実施形態によって限定されるべきではない。
【００３２】
本書類にて使用される用語および語句、およびそれらの変形版は、特に明記しない限り、限定的であるのとは反対の無制限と解釈されるべきである。先述の例として、用語「含む」は「限定することなく含む」という意味で読みとられるべきである。用語「例」は議論における情報の実例を提供するために使用され、包括的な、または限定するための一覧ではない。用語「ａ」または「ａｎ」は「少なくとも１つ」「１つ以上の」などと意味すると読み取られるべきである。「従来の」「一般的な」「通常の」「標準的な」「周知の」および類似の意味を有する用語による形容詞は、所与の期間、または所与の期間に入手可能な製品に、製品を限定すると解釈されるべきではなく、その代わりに、現在または将来にわたりいつでも入手可能であろう、従来の、一般的な、通常の、または標準的な技術を包含すると読み取られるべきである。同様に、本書類が当業者にとって明白または既知であると思われる技術について言及する場合、かかる技術は現在または将来にわたりいつでも、当業者にとって明白または既知の技術を包含するものとする。
【００３３】
ある事例における「１つ以上の」「少なくとも」「ただし〜に限定されない」などの範囲拡大を意味する単語の存在は、かかる範囲拡大を意味する語句が示されていないからといって、より狭い事例を意図または要求することを意味すると読み取られるべきではない。
【図１】
2018505011.tif 000003
【図２】
2018505011.tif 000004
【図３】
2018505011.tif 000005
【図４】
2018505011.tif 000006
【図５】
2018505011.tif 000007
【国際調査報告】
2018505011.tif 000008
2018505011.tif 000009
2018505011.tif 000010